(57)【要約】【課題】患者の無効被曝を低減しながら、アーチファクトが少ない画像を生成する。【解決手段】複数の画素が行列上に配置され、各画素により放射線を検出して放射線画像を得る放射線センサと、複数の画素を行または列のいずれかのライン単位で読み出し状態とし放射線センサに蓄積された電荷を除去するための検知駆動を実行させる駆動部と、検知駆動により放射線センサから出力される電気信号に基づいて放射線センサに放射線が照射されたことを検知する検知回路と、を有する放射線撮影装置であって、放射線撮影装置の撮影モードを設定する設定部を備え、駆動部は、放射線撮影装置の撮影モードが被写体を撮影するための第一の撮影モードである場合には、電荷を除去する駆動により各ラインの画素を第１の時間読み出し状態とし、撮影モードが、被写体のない状態で補正画像を撮影するための第二の撮影モードである場合には、電荷を除去する駆動により各ラインの画素を第１の時間よりも長い第２の時間読み出し状態とする。【選択図】  図６
2015080644.tif 000002
【特許請求の範囲】
【請求項１】
複数の画素が行列上に配置され、各画素により放射線を検出して放射線画像を得る放射線センサと、前記複数の画素を行または列のいずれかのライン単位で読み出し状態とし前記放射線センサに蓄積された電荷を除去するための検知駆動を実行させる駆動手段と、
前記検知駆動により前記放射線センサから出力される電気信号に基づいて前記放射線センサに放射線が照射されたことを検知する検知回路と、を有する放射線撮影装置であって、
前記放射線撮影装置の撮影モードを設定する設定手段を備え、
前記駆動手段は、放射線撮影装置の撮影モードが被写体を撮影するための第一の撮影モードである場合には、前記電荷を除去する駆動により各ラインの画素を第１の時間読み出し状態とし、
前記撮影モードが、被写体のない状態で補正画像を撮影するための第二の撮影モードである場合には、前記電荷を除去する駆動により各ラインの画素を前記第１の時間よりも長い第２の時間読み出し状態とすることを特徴とする放射線撮影装置。
【請求項２】
複数の画素が行列上に配置され、各画素により放射線を検出して放射線画像を得る放射線センサと、前記複数の画素を行または列のいずれかのライン単位で読み出し状態とし前記放射線センサに蓄積された電荷を除去する検知駆動を実行させる駆動手段と、
前記検知駆動により前記放射線センサから出力される電気信号に基づいて前記放射線センサに放射線が照射されたことを検知する検知回路と、
前記検知駆動を各ラインにつき第１の時間行わせる第一の検知駆動と、前記検知駆動を各ラインにつき前記第１の時間よりも短い第２の時間行わせる第二の検知駆動とのいずれを前記駆動手段により実行させるかを選択する選択手段と、
を有することを特徴とする放射線撮影装置。
【請求項３】
複数の画素が行列上に配置され、各画素により放射線を検出して放射線画像を得る放射線センサと、前記複数の画素を行または列のいずれかのライン単位で読み出し状態とし前記放射線センサに蓄積された電荷を除去する検知駆動を実行させる駆動手段と、
前記検知駆動により前記放射線センサから出力される電気信号に基づいて前記放射線センサに放射線が照射されたことを検知する検知回路と、
前記検知駆動を１ライン毎に順次行わせる第一の検知駆動と、前記検知駆動を複数のラインについて同時に行わせる第二の検知駆動と、のいずれを前記駆動手段により実行させるかを選択する選択手段と、
を有することを特徴とする放射線撮影装置。
【請求項４】
複数の画素が行列上に配置され、各画素により放射線を検出して放射線画像を得る放射線センサと、前記複数の画素を行または列のいずれかのライン単位で読み出し状態とし前記放射線センサに蓄積された電荷を除去する検知駆動を実行させる駆動手段と、
前記検知駆動により前記放射線センサから出力される電気信号に基づいて前記放射線センサに放射線が照射されたことを検知する検知回路と、
前記検知駆動を同時に行わせるライン数を複数の選択肢の中から選択する選択手段と、
を有することを特徴とする放射線撮影装置。
【請求項５】
前記放射線撮影の撮影部位を設定する設定手段をさらに有し、
前記設定された撮影部位に応じて前記選択手段による選択を行うことを特徴とする請求項２乃至４のいずれか１項に記載の放射線撮影装置。
【請求項６】
前記設定された撮影部位に対応する放射線照射条件に応じて前記選択手段による選択を行うことを特徴とする請求項５に記載の放射線撮影装置。
【請求項７】
前記放射線撮影の放射線照射条件を設定する設定手段をさらに有し、
前記設定された照射条件に応じて前記選択手段による選択を行うことを特徴とする請求項２乃至４のいずれか１項に記載の放射線撮影装置。
【請求項８】
前記選択手段による選択は、前記放射線撮影の撮影部位情報及び放射線照射条件の少なくともいずれかに基づいて選択される請求項２乃至４のいずれか１項に記載の放射線撮影装置。
【請求項９】
前記駆動手段は、前記放射線の照射が検出された場合、前記検知駆動を停止して、前記放射線センサに蓄積された電荷を読み出し放射線画像を得るための撮影駆動を行うことを特徴とする請求項１乃至８のいずれか１項に記載の放射線撮影装置。
【請求項１０】
請求項９に記載の放射線撮影装置と、前記放射線撮影装置と通信するコンソールとを備える放射線撮影システムであって、
前記放射線撮影装置は、前記撮影駆動により取得された画像を前記コンソールへ送信する通信手段を備え、
前記コンソールは、前記放射線撮影装置から受信した前記画像を処理する画像処理手段を備えることを特徴とする放射線撮影システム。
【請求項１１】
前記通信手段は、前記取得された画像が、被写体のない状態で撮影された画像である場合、当該画像とともに前記検知駆動を停止したラインの番号情報を前記コンソールへ送信し、
前記画像処理手段は、前記ラインの番号情報に基づいて前記画像に対してアーチファクト補正処理を行うことを特徴とする請求項１０に記載の放射線撮影システム。
【請求項１２】
前記画像処理手段は、前記ラインの番号情報に基づいて、前記検知駆動を停止したラインの前後のラインの平均値を、当該ラインの画素値とする補正処理を行うことを特徴とする請求項１１に記載の放射線撮影システム。
【請求項１３】
前記通信手段は、前記撮影駆動により取得された画像が、被写体がある状態で撮影された画像である場合、当該画像を前記コンソールへ送信し、
前記画像処理手段は、予め記憶されている補正画像を用いて前記画像に対して正規化処理を行うことを特徴とする請求項１０に記載の放射線撮影システム。
【請求項１４】
複数の画素が行列上に配置され、各画素により放射線を検出して放射線画像を得る放射線センサと、前記複数の画素を行または列のいずれかのライン単位で読み出し状態とし前記放射線センサに蓄積された電荷を除去するための検知駆動を実行させる駆動手段と、
前記検知駆動により前記放射線センサから出力される電気信号に基づいて前記放射線センサに放射線が照射されたことを検知する検知回路と、
撮影モードを設定する設定手段とを有する放射線撮影装置の制御方法であって、
前記駆動手段が、放射線撮影装置の撮影モードが被写体を撮影するための第一の撮影モードである場合には、前記電荷を除去する駆動により各ラインの画素を第１の時間読み出し状態とし、
前記撮影モードが、被写体のない状態で補正画像を撮影するための第二の撮影モードである場合には、前記電荷を除去する駆動により各ラインの画素を前記第１の時間よりも長い第２の時間読み出し状態とする駆動工程を有することを特徴とする放射線撮影装置の制御方法。
【請求項１５】
請求項１４に記載の放射線撮影装置の制御方法の各工程をコンピュータに実行させるためのプログラム。
【発明の詳細な説明】
【技術分野】
【０００１】
本発明は、放射線撮影装置、放射線撮影システム、放射線撮影装置の制御方法およびプログラムに関するものである。
【背景技術】
【０００２】
放射線発生装置から放射線を被写体に照射し、当該被写体を透過した放射線の強度分布である放射線画像を放射線撮影装置で撮影してデジタル化し、デジタル化した放射線画像に画像処理を施し、鮮明な放射線画像を生成する放射線撮影システムが製品化されている。
【０００３】
ここで、放射線検出センサの各画素の電荷保持性能にはばらつきがあるため、同じ量の放射線を受けた場合でも異なる電荷量となる。そのため同じ量の放射線を受けた時に、同じ画素の値に変換する正規化のための画像処理を行う必要がある。事前に放射線受光面に均一な放射線を当てた時の画像データ（白画像）を作成し、画像処理前の画像の各画素値を、白画像の対応する画素値で除することで正規化処理を行い、撮影画像を作成する。白画像にアーチファクトがあると、撮影画像にもアーチファクトが発生してしまう。これに対して、特許文献１では、白画像作成時に写りこんだ放射線の透過ムラの分布を平準化処理によりぼかして白画像を作成している。
【０００４】
また放射線発生と撮影のタイミングを合わせる技術として、放射線発生装置と放射線撮影装置との間で通信を行う方式や、放射線撮影装置で放射線を検出した直後に撮影を行い、放射線発生装置と放射線撮影装置の間で通信を行わない特許文献２のような方式が開発されている。特許文献２では、放射線撮影装置により放射線が検知されるまで、センサの画素をライン毎に順次読み出す検知駆動が行われる。検知駆動中に放射線が検知されると、検知駆動を直ちに中断し、センサを蓄積状態に移行させ、Ｘ線画像を得ることができる。
【先行技術文献】
【特許文献】
【０００５】
【特許文献１】特開２００９−２９１５４８号公報
【特許文献２】特開２００７−１５１７６１号公報
【発明の概要】
【発明が解決しようとする課題】
【０００６】
しかしながら、検知駆動において、各ラインの画素の読み出し時間を短くすると、各ラインのアーチファクトの傷の深さは小さくなるものの、アーチファクトの生ずるラインの数は増えてしまう。一方で、各ラインの画素の読み出し時間を長くすると、各ラインのアーチファクトの傷の深さが増えてしまうという問題がある。
【０００７】
上記の課題に鑑み、本発明は、放射線撮影装置で放射線を検出した後に撮影を行い、放射線発生装置と放射線撮影装置との間で通信を行わない方式において、患者の無効被曝を低減しながら、アーチファクトの影響を低減することを目的とする。
【課題を解決するための手段】
【０００８】
上記の目的を達成する本発明に係る放射線撮影装置は、
複数の画素が行列上に配置され、各画素により放射線を検出して放射線画像を得る放射線センサと、前記複数の画素を行または列のいずれかのライン単位で読み出し状態とし前記放射線センサに蓄積された電荷を除去するための検知駆動を実行させる駆動手段と、
前記検知駆動により前記放射線センサから出力される電気信号に基づいて前記放射線センサに放射線が照射されたことを検知する検知回路と、を有する放射線撮影装置であって、
前記放射線撮影装置の撮影モードを設定する設定手段を備え、
前記駆動手段は、放射線撮影装置の撮影モードが被写体を撮影するための第一の撮影モードである場合には、前記電荷を除去する駆動により各ラインの画素を第１の時間読み出し状態とし、
前記撮影モードが、被写体のない状態で補正画像を撮影するための第二の撮影モードである場合には、前記電荷を除去する駆動により各ラインの画素を前記第１の時間よりも長い第２の時間読み出し状態とすることを特徴とする。
【発明の効果】
【０００９】
本発明によれば、放射線撮影装置で放射線を検出した後に撮影を行い、放射線発生装置と放射線撮影装置との間で通信を行わない方式において、患者の無効被曝を低減しながら、アーチファクトの影響を低減することができる。
【図面の簡単な説明】
【００１０】
【図１】第１実施形態に係るセンサ駆動のタイミングチャート。
【図２】第１実施形態に係る放射線撮影システムの構成例を示す図。
【図３】第１実施形態に係るセンサ駆動のタイミングチャート。
【図４】第１実施形態に係る空読み時間の違いによるアーチファクトの差を示す図。
【図５】第１実施形態に係るアーチファクトの補正方法の一例を示す図。
【図６】第１実施形態に係る放射線撮影装置が実施する処理の手順を示すフローチャート。
【図７】第１実施形態に係る放射線撮影装置内のセンサの一例を示す図。
【図８】第２実施形態に係るセンサ駆動のタイミングチャート。
【図９】第２実施形態に係るセンサ駆動のタイミングチャート。
【図１０】第２実施形態に係る放射線撮影装置内のセンサの一例を示す図。
【発明を実施するための形態】
【００１１】
以下、図面を参照して、本発明を実施するための形態を説明する。
【００１２】
（第１実施形態）
一般に放射線撮影装置は、光電変換素子等で構成される画素上に蛍光体を積層し構成されている。放射線撮影装置は、放射線を蛍光体で可視光に変換し、可視光を電荷として保持し、読み出した電荷量から画像を形成する。放射線を受けていない時も、各画素は暗電流などの影響で電荷が増えてしまう。電荷が増えたままだと画像のダイナミックレンジが狭くなってしまうため、定期的に電荷を除去する処理が必要となる。電荷を除去するために行うセンサ駆動を空読み駆動（検知駆動）と呼ぶ。また画像を形成するために、電荷の値を読み出すために行うセンサ駆動を本読み駆動（撮影駆動）と呼ぶ。
【００１３】
図７は、放射線撮影装置内の放射線センサの一例を示している。放射線センサは、複数の画素が行列上に配置されて構成されており、各画素により放射線を検出して放射線画像を得る。２次元センサアレイ上のある行上の画素は、ドライブ回路７０２により全画素同時にアドレシングされ、行上の各画素の電荷はサンプルホールド回路７０３に保持される。その後、保持された画素出力の電荷はマルチプレクサ７０４を介して順次読出され、アンプ７１０により増幅された後、Ａ／Ｄ変換器７１１によりデジタル値に変換される。各行の走査が終了する毎に、ドライブ回路７０２が順次２次元センサアレイ上の次の各行をドライブして走査を行い、最終的に全ての画素出力の電荷がデジタル値に変換される。これにより放射線画像データを読み出すことができる。この際、各列信号線に印加する電圧を特定値に固定しながら走査し、取得した電荷を読み捨てることにより、暗電荷が吐き出され、センサ初期化の走査を行う。これらの制御は、駆動制御部７２０により行われる。
【００１４】
駆動制御部７２０は、ドライブ回路７０２を制御して、複数の画素を行または列のいずれかの単位（ライン単位）で読み出し状態とし、放射線センサに蓄積された電荷を除去するための駆動を実行させる。
【００１５】
照射検知部７３０は、ドライブ回路７０２の駆動により放射線センサから出力される電気信号に基づいて放射線センサに放射線が照射されたことを検知する検知回路として機能する。
【００１６】
モード設定部７４０は、放射線撮影装置の撮影モードを設定して、駆動制御部７２０へ撮影モードを伝達する。駆動制御部７２０は、モード設定部７４０により設定された放射線撮影装置の撮影モードが被写体を撮影するための第一の撮影モードである場合には、電荷を除去する駆動を各ラインにつき第１の時間読み出し状態にして行わせる。そして、撮影モードが被写体のない状態で補正画像を撮影するための第二の撮影モードである場合には、電荷を除去する駆動を各ラインにつき第１の時間よりも長い第２の時間読み出し状態にして行わせる。デジタル値に変換された放射線画像データから、放射線を照射せずに暗電荷成分のみから取得したオフセット画像データを減算するオフセット補正を行うことにより、不要な暗電荷成分を除去した撮影画像を得ることができる。
【００１７】
図１に示すように、駆動するラインを順番に変えながら短い空読み駆動を繰り返す(210から216)。このとき同じラインの画素に対してはすべて同時に空読み駆動を行う。より具体的には、空読みを繰り返している時に放射線照射されて発生する電流をモニタし、放射線を検出し、検出後に空読みを停止し、電荷蓄積を行い、蓄積後に本読み駆動を行って(220から225)画像を形成する方式である。放射線照射後にタイミング216で放射線を検出し、空読みをストップして電荷蓄積モードに遷移する。
【００１８】
放射線照射後に空読み駆動を行っていないライン1,2,6は放射線照射している201のすべての期間に蓄積を行っている。しかし、放射線照射後に放射線を検出し空読みを停止するまでの間に空読み駆動を行ったライン3,4,5は空読み駆動前の放射線照射に相当する電荷が除去されてしまうため、放射線照射に対応する電荷蓄積時間はT2,T3,T4となりT1より短くなる。そのため、正常の画素値に比べ小さい画素値になる行が複数行発生する(230から235)。
【００１９】
図１のように一ラインの空読み駆動の時間が短い空読み駆動の場合、T2,T3,T4とT1との差が小さくなるため、画素値の差は小さく、通常の撮影ではアーチファクトが視認できなくすることが可能である。しかし、視認できないアーチファクトであっても、白画像にアーチファクトのある画像を用いて通常の被写体撮影画像を正規化すると、視認できるアーチファクトが発生してしまう可能性がある。
【００２０】
また、図１よりも一ラインの空読み駆動の時間が長い場合を図３に示す。放射線を検出した後に空読みを停止し(311,312)、電荷蓄積を行い、蓄積後に本読み駆動を行って(320から325)画像を形成する。図３の例では放射線照射後に空読み駆動を行う行が少なくなり、図３の例では放射線照射に相当する電荷を除去したのは一行のみとなる（ライン２）。ただし、対象の行は正常値に比べ非常に小さい画素値になってしまうため（330から335のうちの331を参照）、この行については他の画素で補正するなどしなければアーチファクトとなってしまう。
【００２１】
図４（a）は、一ラインの空読み駆動の時間が短い空読み駆動を繰り返し行った場合に、取得される画像のラインと画素値の関係を示した図である。正常画素値と、空読み駆動を停止した画素値との差が小さく、複数のラインに影響がある。一方、図４（b）は、一ラインの空読み駆動の時間が長い空読み駆動を繰り返し行った場合に、取得される画像のラインと画素値の関係を示した図である。正常画素値と、空読み駆動を停止した画素値の差が大きいが、影響のあるライン数が少なくなっている。
【００２２】
以下、図２を参照して、本発明の実施形態に係る放射線撮影システムの構成例を説明する。放射線撮影システムは、放射線撮影装置１０１と、放射線撮影装置１０１を制御するコンソール１０２と、放射線を発生する放射線発生装置１０３とを備えている。
【００２３】
放射線撮影装置１０１は、センサ駆動部１１０と、放射線検出部１１１と、撮影モード判定部１１２と、通信部１１３とを備える。
【００２４】
センサ駆動部１１０は、放射線撮影装置内部のセンサを駆動する。放射線検出部１１１は、放射線を受けた時に、放射線撮影装置１０１内部に発生する電流を監視し、閾値に到達した時に放射線が照射されたと判断する。
【００２５】
撮影モード判定部１１２は、放射線撮影装置１０１の撮影モードが白画像撮影を行う白画像撮影モードであるか、または、被写体を撮影して放射線画像を取得する通常撮影モードであるかを判定する。白画像とは、被写体のない状態で事前にセンサの放射線受光面に均一な放射線を照射した際に得られる画像データである。被写体ありで撮影した画像処理前の画像の各画素値を、白画像の対応する画素値で除するキャリブレーションを行うことによって正規化処理を行い、画素毎のゲイン値のばらつきを補正し、放射線画像が生成される。通信部１１３は、コンソール１０２との通信を行う。
【００２６】
ここで図６は、本発明の実施形態に係る放射線撮影システムにおける処理の手順の一例を示すフローチャートである。
【００２７】
放射線撮影を行う際に、撮影モード判定部１１２は、白画像撮影を行う白画像撮影モードであるか否かを判定する(S601)。白画像撮影モードでない場合、被写体を撮影する通常撮影モードであると判定される。白画像撮影モードであると判定された場合、センサ駆動部１１０は、一ラインの空読み駆動の時間が長い空読み駆動を繰り返し行う(S602)。この時の一ラインの空読み駆動の時間は、放射線を検出するための電流が閾値に到達するまでの時間以上とする。この時間は予め測定されていてもよいし、その都度測定して測定した値を用いてもよい。また、撮影モードは、白画像撮影モードまたは通常撮影モードのユーザ選択を受け付けて、当該ユーザ選択の結果から判定されてもよい。または、被写体の存在を検出するセンサを設け、そのセンサの検出結果から被写体の有無を判定し、その判定結果を使用するように構成してもよい。
【００２８】
一方、白画像撮影でなく被写体を撮影する通常の放射線撮影を行う通常撮影モードであると判定された場合、センサ駆動部１１０は、一ラインの空読み駆動の時間が短い空読み駆動を繰り返し行う(S603)。
【００２９】
次に、放射線検出部１１１が空読み駆動中に放射線を検出した場合(S604;Yes)、センサ駆動部１１０は空読み駆動を停止し、蓄積モードへ移行させる(S605)。一方、放射線検出部１１１が空読み駆動中に放射線を検出しない場合(S604;No)、S601に戻って空読み駆動を継続する。
【００３０】
放射線撮影装置１０１は、蓄積モードが終了した後に本読み駆動を行い、蓄積された電荷を読み出して画像を生成する(S606)。
【００３１】
次に、通信部１１３は、生成された画像をコンソール１０２へ転送する(S607)。このとき、空読みを停止した行の番号情報もコンソール１０２へ送信する。
【００３２】
画像を受信したコンソール１０２は、白画像撮影モードで撮影された画像か否かを判定する(S608)。白画像撮影であると判定された場合(S608;Yes)、空読みを停止した行番号の情報に基づいて白画像アーチファクト補正処理を行い(S609)、作成した画像を保存する(S611)。一方、白画像撮影でないと判定された場合(S608;No)、記憶されている白画像を用いて正規化し画像補正を行い(S610)、作成した画像を保存する(S611)。その後、処理を終了する。
【００３３】
図５を参照して、コンソール１０２が実行するS609のアーチファクト補正処理の一例を説明する。取得した白画像501に、一行のアーチファクト502が発生している。アーチファクトが発生している行は空読みを停止した行番号であり、放射線撮影装置１０１からコンソール１０２へこの行番号の情報を送信しているため、コンソール１０２は補正対象行がわかっている。
【００３４】
画素の一部を拡大したものが520である。画素510と画素512はアーチファクトが発生していない正常な画素値であり、画素値はそれぞれA,Cであるものとする。ここで画素511は空読みを停止した行の画素であり、正常な画素値に対して小さな画素値である。
【００３５】
放射線照射中に空読みを行っていない停止前の行番号の同じ列の画素と、停止した行の次の行の同じ列の画素の２つの画素値の平均を、画素511の値Bとする。同様に空読み停止した行番号の画素に対してすべて補正を行う。このように、ラインの番号情報に基づいて、空読み駆動を停止したラインの前後のラインの平均値を、当該ラインの画素値とする補正処理を行う。
【００３６】
なお、放射線を検出する方法としては電流を監視する方法でなくても構わない。また一ラインの空読み駆動の時間を、放射線を検出するための電流が閾値を超えるまでの時間以上ではなく、別の値にしても構わない。また、一ラインのみのアーチファクトではなく、複数行のアーチファクトが発生する場合であっても適用できる。また白画像を用いて正規化する画像補正は、コンソールでなく、放射線撮影装置で行っても構わない。
【００３７】
以上説明したように、各画素の特性補正情報を取得するための白画像撮影の場合は、各画素の初期化時間の長い駆動（長い読み出し時間の空読み駆動）を繰り返した後に撮影を行い、被写体を撮影する通常の撮影時には各画素の初期化時間の短い駆動（短い読み出し時間の空読み駆動）を繰り返した後に撮影を行う。
【００３８】
これにより、白画像の撮影の場合はアーチファクトが生じるライン数を少なくすることができ、放射線画像の撮影の場合はアーチファクトが生じたラインでの「傷の深さ」を浅くすることが可能になる。そのため、本実施形態によれば、放射線撮影装置で放射線を検出した後に撮影を行い、放射線発生装置と放射線撮影装置との間で同期通信を行わない方式においても、患者の無効被曝を低減しながら、アーチファクトの影響を低減することができる。
【００３９】
また、第一の撮影モード（被写体撮影モード）における検知駆動と第二の撮影モード（白画像撮影モード）とにおける検知駆動で各ラインの駆動時間を異ならせることにより、撮影モードに応じたアーチファクトの影響を低減する適応的な制御が可能になる。
【００４０】
（第２実施形態）
第１実施形態では、駆動するラインの制御方法として、隣接するライン順に駆動を行う例を示したが、隣接するライン順に駆動する方法に限定されるものではない。以下、図８乃至図１０を参照して、本発明の第２実施形態について詳述する。
【００４１】
図１０は、第２実施形態に係る放射線撮影装置内の放射線センサの一例を示している。第１実施形態において、図７を参照して説明した放射線センサの構成と同一の構成要素については同一の参照符号を付している。第２実施形態に係る放射線センサは、１実施形態とは異なり、選択部１０１０と、撮影部位設定部１０２０と、照射条件設定部１０３０とを備えている。
【００４２】
選択部１０１０は、撮影部位設定部１０２０により設定される撮影部位情報と、照射条件設定部１０３０により設定される放射線照射条件との少なくともいずれかに基づいてドライブ回路７０２による検知駆動の方法を選択する。選択部１０１０は、撮影部位に対応する放射線照射条件に応じて選択を行ってもよい。
【００４３】
選択部１０１０は、例えば、放射線照射条件として、低エネルギー（管電圧低）かつ長時間（３ｓｅｃ程度）である場合には、１ラインずつ駆動する検知駆動を選択する。なぜなら、仮に複数ラインずつ駆動するとライン数が多くなり、センサの全ライン数の１／２よりも多くなると連続してアーチファクトが生じるライン数が増えるため、アーチファクト補正が困難になるためである。
【００４４】
選択部１０１０は、逆に、放射線照射条件として、照射時間が超短時間（１０ｍｓｅｃ以下）の場合には、複数ラインずつ駆動する検知駆動を選択する。検知できるまでの時間が短いため、照射が終わっても検知できない、といったことを低減できるためである。
【００４５】
また、選択部１０１０は、撮影部位情報が乳房などの部位を示しており、放射線照射条件として低エネルギー（管電圧低）での撮影が行われる場合、１ラインずつ駆動する検知駆動を選択する。また、撮影部位情報が、小児、腕、手など短時間の照射で撮影される部位を示す場合に、複数ラインずつ駆動する検知駆動を選択するようにしてもよい。駆動制御部７２０は、選択部１０１０により選択された検知駆動の方法に従って、ドライブ回路７０２の動作を制御する。
【００４６】
撮影部位設定部１０２０は、撮影部位情報を設定する。撮影部位情報は、たとえば撮影前に予めユーザからの入力を受け付けることにより設定されてもよい。照射条件設定部１０３０は、放射線撮影のための放射線照射条件を設定する。放射線照射条件は、たとえば撮影前に予めユーザからの入力を受け付けることにより設定されてもよい。
【００４７】
以上のような構成を有する放射線センサの動作を、図８及び図９を参照して説明する。
【００４８】
図８は、駆動する順番を、ライン１、３、５、ライン２、４、６...のように１つ飛ばしでドライブ回路７０２を駆動する例を示す。具体的には、タイミング８０１、８０２、８０３、８０４、８０５、８０６の順に各ラインについて空読み駆動を行う。空読みを繰り返している時に放射線照射されて発生する電流をモニタし、放射線を検出し、検出後に空読み駆動を停止し、電荷蓄積を行う。そして、電荷の蓄積後に、タイミング８１１、８１２、８１３、８１４、８１５、８１６の順に本読み駆動を行う。
【００４９】
この場合、選択部１０１０は、ドライブ回路７０２による検知駆動を各ラインにつき第１の時間行わせる第一の検知駆動（タイミング８１１〜８１６での本読み駆動に相当）と、当該検知駆動を各ラインにつき第１の時間よりも短い第２の時間行わせる第二の検知駆動（タイミング８０１〜８０６での空読み駆動に相当）とのいずれを実行させるかを選択する。
【００５０】
また図９は、複数ラインずつ順にドライブ回路７０２を駆動する例を示す。ある特定のタイミング９０１Ａ、９０１Ｂでライン１と３、次のタイミング９０２Ａ、９０２Ｂでライン５と７、その次のタイミング９０３Ａ、９０３Ｂでライン２と４、さらに次のタイミング９０４Ａ、９０４Ｂでライン６と８を駆動する。図８の例と同様に、放射線が検出されると空読み駆動を停止し、電荷蓄積を行い、蓄積後に、タイミング９１１Ａ、９１１Ｂでライン１と３、次のタイミング９１２Ａ、９１２Ｂでライン５と７、その次のタイミング９１３Ａ、９１３Ｂでライン２と４、さらに次のタイミング９１４Ａ、９１４Ｂでライン６と８の順に複数ラインずつ本読み駆動を行う。
【００５１】
この場合、選択部１０１０は、ドライブ回路７０２による検知駆動を各複数ラインにつき第１の時間行わせる第一の検知駆動（タイミング９１１Ａ、９１１Ｂからタイミング９１４Ａ、９１４Ｂでの本読み駆動に相当）と、当該検知駆動を各複数ラインにつき第１の時間よりも短い第２の時間行わせる第二の検知駆動（タイミング９０１Ａ、９０１Ｂからタイミング９０４Ａ、９０４Ｂでの本読み駆動に相当）とのいずれを駆動制御部７２０により実行させるかを選択する。
【００５２】
また、図８のように１ラインずつ順次駆動する方法と、図９のように複数ラインずつ駆動する方法との何れを用いてもよい。この場合、選択部１０１０は、ドライブ回路７０２による検知駆動を１ライン毎に順次行わせる第一の検知駆動と、検知駆動を複数のラインについて同時に行わせる第二の検知駆動と、のいずれを駆動制御部７２０により実行させるかを選択してもよい。
【００５３】
また、選択部１０１０は、検知駆動を同時に行わせるライン数を複数の選択肢の中から選択してもよい。ライン数の選択肢をユーザに提示し、ユーザ入力に従って選択してもよい。
【００５４】
本実施形態によれば、アーチファクトが生じるライン数がより少なくなる駆動（例えば１ライン毎に順次行わせる第一の検知駆動）と、アーチファクトが生じるライン数が増加するもののアーチファクトの傷の深さがより少なくなる駆動（例えば複数のラインについて同時に行わせる第二の検知駆動）とを適応的に選択することが可能となる。これにより、放射線撮影装置で放射線を検出した後に撮影を行い、放射線発生装置と放射線撮影装置との間で同期通信を行わない方式においても、患者の無効被曝を低減しながら、アーチファクトの影響を低減することができる。
【００５５】
（その他の実施形態）
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【図１】
2015080644.tif 000003
【図２】
2015080644.tif 000004
【図３】
2015080644.tif 000005
【図４】
2015080644.tif 000006
【図５】
2015080644.tif 000007
【図６】
2015080644.tif 000008
【図７】
2015080644.tif 000009
【図８】
2015080644.tif 000010
【図９】
2015080644.tif 000011
【図１０】
2015080644.tif 000012